【手続補正書】
【提出日】平成17年3月1日(2005.3.1)
【手続補正１】
【補正対象書類名】明細書
【補正対象項目名】発明の名称
【補正方法】変更
【補正の内容】
【発明の名称】携帯端末装置、制御方法及びデジタルカメラ
【手続補正２】
【補正対象書類名】明細書
【補正対象項目名】特許請求の範囲
【補正方法】変更
【補正の内容】
【特許請求の範囲】
【請求項１】
メールの受信が可能な受信手段と、
前記受信手段により受信されたメールを蓄積する蓄積手段と、
画像データの出力が可能な画像出力手段とを有し、
前記蓄積手段内のメールに添付されている画像データを前記画像出力手段を介して出力できるようにしたことを特徴とする携帯端末装置。
【請求項２】
前記蓄積手段内のメールに含まれている文字データを前記携帯端末装置の表示手段に表示できるようにしたことを特徴とする請求項１に記載の携帯端末装置。
【請求項３】
前記蓄積手段内のメールに添付されている画像データを前記画像出力手段を介して出力する場合は、そのメールに含まれている文字データを前記画像出力手段を介して出力しないようにしたことを特徴とする請求項１又は２に記載の携帯端末装置。
【請求項４】
前記受信手段がメールではなく音声データを受信した場合は、前記音声データを前記携帯端末装置の音声出力手段から出力できるようにしたことを特徴とする請求項１乃至３の何れか１項に記載の携帯端末装置。
【請求項５】
メールの選択を行う際に前記蓄積手段内のメールの履歴を表示できるようにしたことを特徴とする請求項１乃至４の何れか１項に記載の携帯端末装置。
【請求項６】
前記蓄積手段内のメールに添付されている画像データを前記画像出力手段を介して出力する場合は、その画像データを外部装置の表示手段に表示させるためのコマンドを前記画像出力手段を介して出力できるようにしたことを特徴とする請求項１乃至５の何れか１項に記載の携帯端末装置。
【請求項７】
前記携帯端末装置は、携帯電話であることを特徴とする請求項１乃至６の何れか１項に記載の携帯端末装置。
【請求項８】
前記外部装置は、デジタルカメラであることを特徴とする請求項６に記載の携帯端末装置。
【請求項９】
メールの受信が可能な受信手段と、
前記受信手段により受信されたメールを蓄積する蓄積手段と、
画像データの出力が可能な画像出力手段とを有する携帯端末装置の制御方法であって、
前記蓄積手段内のメールに添付されている画像データを前記画像出力手段を介して出力できるようにしたことを特徴とする制御方法。
【請求項１０】
前記蓄積手段内のメールに含まれている文字データを前記携帯端末装置の表示手段に表示できるようにしたことを特徴とする請求項９に記載の制御方法。
【請求項１１】
前記蓄積手段内のメールに添付されている画像データを前記画像出力手段を介して出力する場合は、そのメールに含まれている文字データを前記画像出力手段を介して出力しないようにしたことを特徴とする請求項９又は１０に記載の制御方法。
【請求項１２】
前記受信手段がメールではなく音声データを受信した場合は、前記音声データを前記携帯端末装置の音声出力手段から出力できるようにしたことを特徴とする請求項９乃至１１の何れか１項に記載の制御方法。
【請求項１３】
メールの選択を行う際に前記蓄積手段内のメールの履歴を表示できるようにしたことを特徴とする請求項９乃至１２の何れか１項に記載の制御方法。
【請求項１４】
前記蓄積手段内のメールに添付されている画像データを前記画像出力手段を介して出力する場合は、その画像データを外部装置の表示手段に表示させるためのコマンドを前記画像出力手段を介して出力できるようにしたことを特徴とする請求項９乃至１３の何れか１項に記載の制御方法。
【請求項１５】
前記携帯端末装置は、携帯電話であることを特徴とする請求項９乃至１４の何れか１項に記載の制御方法。
【請求項１６】
前記外部装置は、デジタルカメラであることを特徴とする請求項１４に記載の制御方法。
【請求項１７】
メールの受信が可能な受信手段と、
前記受信手段により受信されたメールを蓄積する蓄積手段と、
画像データの出力が可能な画像出力手段とを有し、
前記蓄積手段内のメールに添付されている画像データの画像サイズが所定の値以上である場合は、その画像データを前記画像出力手段を介して出力できるようにしたことを特徴とする携帯端末装置。
【請求項１８】
前記蓄積手段内のメールに添付されている画像データの画像サイズが所定の値以上でない場合は、その画像データを前記携帯端末装置の表示手段に表示できるようにしたことを特徴とする請求項１７に記載の携帯端末装置。
【請求項１９】
前記蓄積手段内のメールに添付されている画像データの画像サイズが所定の値以上でない場合は、その画像データを前記画像出力手段を介して出力できないようにしたことを特徴とする請求項１７又は１８に記載の携帯端末装置。
【請求項２０】
前記蓄積手段内のメールに添付されている画像データを前記画像出力手段を介して出力する場合は、そのメールに含まれている文字データを前記画像出力手段を介して出力しないようにしたことを特徴とする請求項１７乃至１９の何れか１項に記載の携帯端末装置。
【請求項２１】
前記受信手段がメールではなく音声データを受信した場合は、前記音声データを前記携帯端末装置の音声出力手段から出力できるようにしたことを特徴とする請求項１７乃至２０の何れか１項に記載の携帯端末装置。
【請求項２２】
メールの選択を行う際に前記蓄積手段内のメールの履歴を表示できるようにしたことを特徴とする請求項１７乃至２１の何れか１項に記載の携帯端末装置。
【請求項２３】
前記蓄積手段に蓄積されているメールの中から選択されたメールに添付されている画像データを前記画像出力手段を介して出力する場合は、その画像データを外部装置の表示手段に表示させるためのコマンドを前記画像出力手段を介して出力できるようにしたことを特徴とする請求項１７乃至２２の何れか１項に記載の携帯端末装置。
【請求項２４】
前記携帯端末装置は、携帯電話であることを特徴とする請求項１７乃至２３の何れか１項に記載の携帯端末装置。
【請求項２５】
前記外部装置は、デジタルカメラであることを特徴とする請求項２３に記載の携帯端末装置。
【請求項２６】
メールの受信が可能な受信手段と、
前記受信手段により受信されたメールを蓄積する蓄積手段と、
画像データの出力が可能な画像出力手段とを有する携帯端末装置の制御方法であって、
前記蓄積手段内のメールに添付されている画像データの画像サイズが所定の値以上である場合は、その画像データを前記画像出力手段を介して出力できるようにしたことを特徴とする制御方法。
【請求項２７】
前記蓄積手段内のメールに添付されている画像データの画像サイズが所定の値以上でない場合は、その画像データを前記携帯端末装置の表示手段に表示できるようにしたことを特徴とする請求項２６に記載の制御方法。
【請求項２８】
前記蓄積手段内のメールに添付されている画像データの画像サイズが所定の値以上でない場合は、その画像データを前記画像出力手段を介して出力できないようにしたことを特徴とする請求項２６又は２７に記載の制御方法。
【請求項２９】
前記蓄積手段内のメールに添付されている画像データを前記画像出力手段を介して出力する場合は、そのメールに含まれている文字データを前記画像出力手段を介して出力しないようにしたことを特徴とする請求項２６乃至２８の何れか１項に記載の制御方法。
【請求項３０】
前記受信手段がメールではなく音声データを受信した場合は、前記音声データを前記携帯端末装置の音声出力手段から出力できるようにしたことを特徴とする請求項２６乃至２９の何れか１項に記載の制御方法。
【請求項３１】
メールの選択を行う際に前記蓄積手段内のメールの履歴を表示できるようにしたことを特徴とする請求項２６乃至３０の何れか１項に記載の制御方法。
【請求項３２】
前記蓄積手段に蓄積されているメールの中から選択されたメールに添付されている画像データを前記画像出力手段を介して出力する場合は、その画像データを外部装置の表示手段に表示させるためのコマンドを前記画像出力手段を介して出力できるようにしたことを特徴とする請求項２６乃至３１の何れか１項に記載の制御方法。
【請求項３３】
前記携帯端末装置は、携帯電話であることを特徴とする請求項２６乃至３２の何れか１項に記載の制御方法。
【請求項３４】
前記外部装置は、デジタルカメラであることを特徴とする請求項３２に記載の制御方法。
【請求項３５】
請求項１乃至８の何れか１項に記載の携帯端末装置から出力された画像データの入力が可能な画像入力手段と、
前記携帯端末装置から出力された画像データを表示する表示手段とを有することを特徴とするデジタルカメラ。
【請求項３６】
請求項９乃至１６の何れか１項に記載の制御方法により制御される携帯端末装置から出力された画像データの入力が可能な画像入力手段と、
前記携帯端末装置から出力された画像データを表示する表示手段とを有することを特徴とするデジタルカメラ。
【請求項３７】
請求項１７乃至２５の何れか１項に記載の携帯端末装置から出力された画像データの入力が可能な画像入力手段と、
前記携帯端末装置から出力された画像データを表示する表示手段とを有することを特徴とするデジタルカメラ。
【請求項３８】
請求項２６乃至３４の何れか１項に記載の制御方法により制御される携帯端末装置から出力された画像データの入力が可能な画像入力手段と、
前記携帯端末装置から出力された画像データを表示する表示手段とを有することを特徴とするデジタルカメラ。
【手続補正３】
【補正対象書類名】明細書
【補正対象項目名】０００１
【補正方法】変更
【補正の内容】
【０００１】
【発明の属する技術分野】
本発明は、例えば、携帯電話などの携帯端末装置、その制御方法及びデジタルカメラに関する。
【手続補正４】
【補正対象書類名】明細書
【補正対象項目名】０００４
【補正方法】変更
【補正の内容】
【０００４】
また、近年では情報技術の進歩に伴い、情報は大容量化、多様化、高速化する一方で、移動中や遠隔地でより正確な情報を得るために画像データ通信の需要は増大している。したがって、将来的には携帯性の高いデータ通信システムが求められている。
【手続補正５】
【補正対象書類名】明細書
【補正対象項目名】０００５
【補正方法】変更
【補正の内容】
【０００５】
そこで、現在、上記の文字、画像混在のデータをデータ通信システムで受信して見る形態として、携帯電話を用いる方法がある。携帯電話では、メールツールをインストールした据置型の画像通信装置と同様に、画像を添付したＥ−ｍａｉｌの送受信を行うことができる。その上、携帯性、コスト面で優れており有効なデータ通信システムとして用いることができる。
【手続補正６】
【補正対象書類名】明細書
【補正対象項目名】００１０
【補正方法】変更
【補正の内容】
【００１０】
そこで、本発明は、例えば、携帯電話などの小型の表示装置を有する携帯端末装置で受信した画像データをその携帯端末装置の表示装置よりも良好な環境で見ることができるようにすることを目的とする。
【手続補正７】
【補正対象書類名】明細書
【補正対象項目名】００１１
【補正方法】変更
【補正の内容】
【００１１】
【課題を解決するための手段】
本発明に係る携帯端末装置の一つは、例えば、メールの受信が可能な受信手段と、前記受信手段により受信されたメールを蓄積する蓄積手段と、画像データの出力が可能な画像出力手段とを有し、前記蓄積手段内のメールに添付されている画像データを前記画像出力手段を介して出力できるようにしたことを特徴とする。
【手続補正８】
【補正対象書類名】明細書
【補正対象項目名】００１２
【補正方法】変更
【補正の内容】
【００１２】
本発明に係る制御方法の一つは、例えば、メールの受信が可能な受信手段と、前記受信手段により受信されたメールを蓄積する蓄積手段と、画像データの出力が可能な画像出力手段とを有する携帯端末装置の制御方法であって、前記蓄積手段内のメールに添付されている画像データを前記画像出力手段を介して出力できるようにしたことを特徴とする。
【手続補正９】
【補正対象書類名】明細書
【補正対象項目名】００１３
【補正方法】変更
【補正の内容】
【００１３】
本発明に係る携帯端末装置の一つは、例えば、メールの受信が可能な受信手段と、前記受信手段により受信されたメールを蓄積する蓄積手段と、画像データの出力が可能な画像出力手段とを有し、前記蓄積手段内のメールに添付されている画像データの画像サイズが所定の値以上である場合は、その画像データを前記画像出力手段を介して出力できるようにしたことを特徴とする。
【手続補正１０】
【補正対象書類名】明細書
【補正対象項目名】００１４
【補正方法】変更
【補正の内容】
【００１４】
本発明に係る制御方法の一つは、例えば、メールの受信が可能な受信手段と、前記受信手段により受信されたメールを蓄積する蓄積手段と、画像データの出力が可能な画像出力手段とを有する携帯端末装置の制御方法であって、前記蓄積手段内のメールに添付されている画像データの画像サイズが所定の値以上である場合は、その画像データを前記画像出力手段を介して出力できるようにしたことを特徴とする。
【手続補正１１】
【補正対象書類名】明細書
【補正対象項目名】００１５
【補正方法】変更
【補正の内容】
【００１５】
本発明に係るデジタルカメラの一つは、例えば、上記の携帯端末装置の一つから出力された画像データの入力が可能な画像入力手段と、前記携帯端末装置から出力された画像データを表示する表示手段とを有することを特徴とする。
【手続補正１２】
【補正対象書類名】明細書
【補正対象項目名】００１６
【補正方法】変更
【補正の内容】
【００１６】
本発明に係るデジタルカメラの一つは、例えば、上記の制御方法の一つにより制御される携帯端末装置から出力された画像データの入力が可能な画像入力手段と、前記携帯端末装置から出力された画像データを表示する表示手段とを有することを特徴とする。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】変更
【補正の内容】
【００１９】
【発明の実施の形態】
次に、添付図面を参照しながら本発明の実施の形態について説明する。
【手続補正１６】
【補正対象書類名】明細書
【補正対象項目名】０１５４
【補正方法】変更
【補正の内容】
【０１５４】
【発明の効果】
以上説明したように、本発明によれば、例えば、携帯電話などの小型の表示装置を有する携帯端末装置で受信した画像データをその携帯端末装置の表示装置よりも良好な環境で見ることができる。
【手続補正１７】
【補正対象書類名】明細書
【補正対象項目名】０１５５
【補正方法】削除
【補正の内容】
【手続補正１８】
【補正対象書類名】明細書
【補正対象項目名】０１５６
【補正方法】削除
【補正の内容】
【手続補正１９】
【補正対象書類名】明細書
【補正対象項目名】０１５７
【補正方法】削除
【補正の内容】